(57)【要約】【課題】有効期限を正確に管理することができるガス漏れ警報器を提供する。【解決手段】リアルタイムクロック機能により時刻情報を管理する時刻情報管理部３１を備えたガスメータ２との間で、データ送受信可能に構成されたガス漏れ警報器１であって、前記ガス漏れ警報器１の設置時に前記ガスメータ２から時刻情報を取得し、それに設定された有効期限を加算し、その後に定期的にガスメータ２から取得した現在時刻が、前記有効期限時刻を経過したら有効期限切れと判定する時刻情報取得・判定部３０と、前記警報器１の電源が投入されてからの累積通電時間が、設定された有効期限を経過したか否かを判定し、経過したときに有効期限切れと判定する累積通電時間計測・判定部４０と、を備え、前記判定部３０または４０のいずれか一方が有効期限切れを判定したら有効期限経過の表示を行う。【選択図】図１
2014225062.tif 000002
【特許請求の範囲】
【請求項１】
リアルタイムクロック機能を有して時刻情報を管理する時刻情報管理部を備えたガスメータとの間で、データ送受信可能に構成されたガス漏れ警報器であって、
前記ガス漏れ警報器の設置時に前記ガスメータから時刻情報を取得し、該取得した時刻情報に、設定された有効期限を加算した有効期限時刻情報を内部記憶部に格納し、前記ガス漏れ警報器の設置後に定期的に前記ガスメータから取得した現在時刻情報で示される時刻が、前記有効期限時刻情報で示される時刻を経過したら有効期限切れと判定する時刻情報取得・判定部と、
前記ガス漏れ警報器の電源が投入されてからの累積通電時間を積算し、該累積通電時間を記憶部に格納し、前記記憶部内の累積通電時間が、設定された有効期限を経過したか否かを判定し、有効期限を経過したときに有効期限切れと判定する累積通電時間計測・判定部と、を備え、
前記時刻情報取得・判定部または累積通電時間計測・判定部の少なくともいずれか一方が有効期限切れを判定したときに有効期限経過の表示を行うことを特徴とするガス漏れ警報器。
【請求項２】
前記時刻情報取得・判定部または累積通電時間計測・判定部の少なくともいずれか一方が有効期限切れを判定したときに、警報を発することを特徴とする請求項１に記載のガス漏れ警報器。
【請求項３】
前記時刻情報取得・判定部または累積通電時間計測・判定部の少なくともいずれか一方が有効期限切れを判定したときに、当該有効期限切れを、ガスメータを経由してガスメータを監視するセンターに通知することを特徴とする請求項１又は２に記載のガス漏れ警報器。
【発明の詳細な説明】
【技術分野】
【０００１】
本発明は、ガス漏れを検知して警報を発するガス漏れ警報器に関し、その有効期限管理に関するものである。
【背景技術】
【０００２】
ガス漏れ警報器には、ガスセンサが搭載されているが、ガスセンサの性能は時間とともに劣化する傾向があるため、有効期限を規定し、管理している。有効期限とは、例えば製造日または設置日から５年間である。
【０００３】
従来のガス漏れ警報器の有効期限管理として、ガス事業者が警報器を設置した設置日を台帳に記入し、所定年月日が経過したときに警報器を交換するという方法があるが、ガス事業者の管理工数が掛かる。
そこで、例えば特許文献１に記載のように、ガス漏れ警報器において、ＡＣ１００Ｖ電源を投入してから警報器内部のマイコンが持っているタイマーにて経過時間をカウントし、２時間毎に累積通電時間をカウント（積算）し、ＥＥＰＲＯＭに書き込み、所定の時間が到来した時点で有効期限切れ表示及び警報を行うことがなされていた。
【０００４】
また、停電発生検知時に警報を発することは例えば特許文献２に記載されている。
【先行技術文献】
【特許文献】
【０００５】
【特許文献１】特開２００８−２５０８９１号公報
【特許文献２】特開２００６−６５７４７号公報
【発明の概要】
【発明が解決しようとする課題】
【０００６】
前記累積通電時間によるガス漏れ警報器の有効期限管理方法では、例えば、引越し等で数ヶ月間、ＡＣ１００Ｖコンセントが抜かれていた場合、時間のカウントが行われないため、実際の経過時間とは、ずれてしまうという問題があった。
【０００７】
本来、ガス漏れ警報器として管理すべきなのは、ＡＣ１００Ｖ電源を通電していた「通電時間」ではなく、製造日から経過した「経過時間」である。したがって、上記のガス漏れ警報器による有効期限表示機能は、正確性に欠け、補助的な機能として位置付けられていた。
【０００８】
本発明は上記課題を解決するものであり、その目的は、有効期限を正確に管理することができるガス漏れ警報器を提供することにある。
【課題を解決するための手段】
【０００９】
上記課題を解決するための請求項１に記載のガス漏れ警報器は、リアルタイムクロック機能を有して時刻情報を管理する時刻情報管理部を備えたガスメータとの間で、データ送受信可能に構成されたガス漏れ警報器であって、前記ガス漏れ警報器の設置時に前記ガスメータから時刻情報を取得し、該取得した時刻情報に、設定された有効期限を加算した有効期限時刻情報を内部記憶部に格納し、前記ガス漏れ警報器の設置後に定期的に前記ガスメータから取得した現在時刻情報で示される時刻が、前記有効期限時刻情報で示される時刻を経過したら有効期限切れと判定する時刻情報取得・判定部と、前記ガス漏れ警報器の電源が投入されてからの累積通電時間を積算し、該累積通電時間を記憶部に格納し、前記記憶部内の累積通電時間が、設定された有効期限を経過したか否かを判定し、有効期限を経過したときに有効期限切れと判定する累積通電時間計測・判定部と、を備え、前記時刻情報取得・判定部または累積通電時間計測・判定部の少なくともいずれか一方が有効期限切れを判定したときに有効期限経過の表示を行うことを特徴としている。
【００１０】
上記構成によれば、ガスメータの時刻情報をベースとした有効期限時刻情報に基づく有効期限切れ判定か、又はガス漏れ警報器の累積通電時間に基づく有効期限切れ判定のいずれかの判定によって有効期限切れが検知されるので、有効期限管理の信頼性が向上する。
【００１１】
また、ガスメータのリアルタイムクロック機能により正確に管理されている時刻情報を利用できるので、正確に有効期限切れを管理することができる。
【００１２】
また、ガス漏れ警報器そのものにリアルタイムクロック機能を備える必要はないので、ガス漏れ警報器のコストアップを抑制することができる。
【００１３】
また、請求項２に記載のガス漏れ警報器は、請求項１において、前記時刻情報取得・判定部または累積通電時間計測・判定部の少なくともいずれか一方が有効期限切れを判定したときに、警報を発することを特徴としている。
上記構成によれば、ガス漏れ警報器の有効期限切れについての警報を確実に発することができる。
【００１４】
また、請求項３に記載のガス漏れ警報器は、請求項１または２において、前記時刻情報取得・判定部または累積通電時間計測・判定部の少なくともいずれか一方が有効期限切れを判定したときに、当該有効期限切れを、ガスメータを経由してガスメータを監視するセンターに通知することを特徴としている。
【００１５】
上記構成によれば、屋内に設置されるため管理し辛かったガス漏れ警報器の有効期限切れを、センター側で明確に知ることができるようになる。
【発明の効果】
【００１６】
（１）請求項１〜３に記載の発明によれば、ガスメータの時刻情報をベースとした有効期限時刻情報に基づく有効期限切れ判定か、又はガス漏れ警報器の累積通電時間に基づく有効期限切れ判定のいずれかの判定によって有効期限切れが検知されるので、有効期限管理の信頼性が向上する。
【００１７】
また、ガスメータのリアルタイムクロック機能により正確に管理されている時刻情報を利用できるので、正確に有効期限切れを管理することができる。
【００１８】
また、ガス漏れ警報器そのものにリアルタイムクロック機能を備える必要はないので、ガス漏れ警報器のコストアップを抑制することができる。
（２）請求項２に記載の発明によれば、ガス漏れ警報器の有効期限切れについての警報を確実に発することができる。
（３）請求項３に記載の発明によれば、屋内に設置されるため管理し辛かったガス漏れ警報器の有効期限切れを、センター側で明確に知ることができるようになる。
【図面の簡単な説明】
【００１９】
【図１】本発明の実施形態例を示す構成図。
【図２】本発明の実施形態例による処理の流れを示すフローチャート。
【図３】本発明の実施例形態例による有効期限表示の一例を示す説明図。
【発明を実施するための形態】
【００２０】
以下、図面を参照しながら本発明の実施の形態を説明するが、本発明は下記の実施形態例に限定されるものではない。ガス漏れ警報器は、ＡＣ１００Ｖ電源の場合ＡＣ１００Ｖコンセントが抜かれたり、電池式の場合電池を抜かれたりしてしまうと、時間のカウントが停止してしまう。
【００２１】
しかし、ガスメータは１０年間電池で駆動し、その電池は堅牢な筺体内部に組み込まれているため取り外すことは不可能な構造になっている。また、ガスメータはリアルタイムクロック機能を備えており、工場出荷時に設定された時刻情報（年月日時分秒）を１０年間正確にカウントしている。
【００２２】
更に、ガスメータが集中監視されている場合は、定期的（例えば毎月の検針ごと）に時刻情報（年月日時分秒）をセンターの時刻に補正している。集中監視を行っていない場合でも、定期検査（４年に１回等）や、ハンディタイプの検針端末等で、ガスメータと通信することで、時刻情報（年月日時分秒）の補正を行っている場合もある。以上により、ガスメータは正確な時刻管理が行われていると言える。
【００２３】
ガス漏れ警報器も、リアルタイムクロック機能を備えればよいわけであるが、リアルタイムクロックはマイコンのメインクロックの他にサブクロック用の発振子が必要となり、部品費が上がってしまうし、ＡＣ１００Ｖコンセントを抜かれたり、電池を抜かれてしまうと時刻がずれてしまうため実用的でない。
【００２４】
そこで本実施形態例では、リアルタイムクロック機能を備えて正確な時刻情報を管理しているガスメータとの間でデータ送受信を可能とし、そのガスメータ側の時刻情報に基づく有効期限切れ判定と、累積通電時間に基づく有効期限切れ判定を行い、それらのうちいずれか一方が有効期限切れと判定したときに、有効期限切れの表示、警報などを行うように構成した。
【００２５】
図１に本実施形態例の構成を示す。図１において、ガス漏れ警報器１はガスメータ２との間でデータ送受信可能に構成されている。有線または無線によるデータの通信を行うように構成されている。
【００２６】
ガス漏れ警報器１は、マイコン（マイクロコンピュータ）１１、ガスセンサ１２、警報部１３、故障表示部１４、有効期限表示部１５、記憶部としてのＥＥＰＲＯＭ１６および通信手段としてのインターフェース部１７を備えている。
【００２７】
ガスメータ２は、マイコン２１、遮蔽弁駆動部２２、流量検出部２３、通信部２４、表示部２５、通信手段としてのインターフェース部２６を備えている。
【００２８】
ガス漏れ警報器１のマイコン１１は、処理プログラムに従って各種の処理を行うＣＰＵ１１ａと、ＣＰＵ１１ａが行う処理のプログラムなどを格納したＲＯＭ１１ｂと、ＣＰＵ１１ａが行う各種の処理過程で利用するワークエリア、各種データを格納するデータ記憶エリアなどを有するＲＡＭ１１ｃ等を有している。
【００２９】
前記ＣＰＵ１１ａが行う本発明の処理機能としては、ガスメータ２から時刻情報を取得し、後述する処理を行ってガス漏れ警報器１の有効期限切れを判定する時刻情報取得・判定部３０と、ガス漏れ警報器１の電源が投入されてからの累積通電時間を計測し、それに基づいて有効期限切れを判定する累積通電時間計測・判定部４０を備えている。
【００３０】
マイコン１１は、ガスセンサ１２によってガス濃度を計測し、そのガス濃度が警報設定点以上となった時に警報部１３から警報を発し、警報解除設定点以下になったときに警報を停止する。また自己診断機能により自己診断処理を行って故障の有無を判定し、故障表示部１４に表示する。
【００３１】
ガスメータ２は、マイコン２１、図示しない遮断弁を駆動する遮蔽弁駆動部２２、ガスの流量を検出する流量検出部２３、通信部２４、表示部２５及び通信手段としてのインターフェース部２６を備えている。
【００３２】
前記マイコン２１は、処理プログラムに従って各種の処理を行うＣＰＵ２１ａと、ＣＰＵ２１ａが行う処理のプログラムなどを格納したＲＯＭ２１ｂと、ＣＰＵ２１ａが行う各種の処理過程で利用するワークエリア、各種データを格納するデータ記憶エリアなどを有するＲＡＭ２１ｃ等を有している。
ＣＰＵ２１ａが行う機能としては、所定のレジスタと内部のタイマにより、年、月、日、時、分、秒のリアルタイムクロック機能を有して時刻情報を管理する時刻情報管理部３１を備えている。
【００３３】
本実施形態例によるガス漏れ警報器１の有効期限管理は、時刻情報取得・判定部３０が行う有効期限切れ判定処理と、累積通電時間計測・判定部４０が行う有効期限切れ判定処理の２つの判定処理のうち、どちらか早期に有効期限切れと判定されたときに有効期限表示部１５で表示を行ったり、警報部１３により警報を行ったり、ガスメータ２経由でセンターに通知するものである。
【００３４】
次に本実施形態例で行われる有効期限切れ判定処理の手順を図２のフローチャートとともに説明する。図２において、ステップＳ３１〜Ｓ３５は時刻情報取得・判定部３０が行う処理、ステップＳ４１〜Ｓ４３は累積通電時間計測・判定部４０が行う処理を各々示している。
【００３５】
まずステップＳ３１において、時刻情報取得・判定部３０は、ガス漏れ警報器１の設置時に、ガスメータ２の時刻情報管理部３１から時刻情報（年月日時分秒）を取得し、次にステップＳ３２において、その取得した時刻情報に有効期間（例えば５年）を加算した値を、有効期限時刻情報としてガス漏れ警報器１の内部メモリー（例えばＲＯＭ１１ｂ）に記憶する。
【００３６】
前記ガス漏れ警報器１の内部メモリーには、工場出荷時には何も書かれておらず、１度書き込みを行うと、以降の書き換えを不可とする。
【００３７】
次にステップＳ３３では、定期的（例えば１ヶ月ごと）にガスメータ２の時刻情報管理部３１から時刻情報（年月日時分秒）を取得する。
【００３８】
そしてステップＳ３４では、ステップＳ３３で取得した現在の時刻情報とステップＳ３２で内部メモリーに書き込まれた有効期限時刻情報を比較し、現在時刻が前記有効期限時刻を経過した時点で、有効期限切れと判定し、ステップＳ３５において有効期限切れ表示および警報を行う。
【００３９】
一方、累積通電時間計測・判定部４０は、電源が投入されたらステップＳ４１においてＥＥＰＲＯＭ１６から累積通電時間を読み込む。次にステップＳ４２において、たとえば２時間毎に累積の通電時間を積算し、更新毎にＥＥＰＲＯＭ１６へ書き込む。
【００４０】
次にステップＳ４３において、積算された累積通電時間が設定された有効期限、例えば４８１２０時間（５年６ヶ月）を経過したか否かを判定する。尚、４８１２０時間は２４０６０カウントとなる。
【００４１】
設定された有効期限を経過したと判定された場合はステップＳ３５において有効期限切れを知らせる表示を行う。この有効期限表示は、例えば図３に示すように、電源ＬＥＤを２秒点灯させ１秒消灯することを繰り返すことにより行われる。
【００４２】
尚、累積通電時間は、１３１０７０時間まで積算し、以降は積算しない（１３１０７０ｈ＝約１５年）。また累積通電時間は、工場出荷時、パソコン通信によるＥＥＰＲＯＭ初期化時にゼロクリアする。
また、有効期限表示中であっても警報監視（火災、ガス）及び警報動作は行う。電源オン時、ＥＥＰＲＯＭ１６より累積通電時間を読み込んだ時点で、有効期限を経過している場合は有効期限表示を開始する（初期遅延表示は行わない）。
【００４３】
以上のように本実施形態例によれば、ガス漏れ警報器１のＡＣ１００Ｖコンセントや電池が抜かれていても、有効期限管理を正確に行うことができる。
ガスメータ２の時刻情報をベースとした有効期限時刻情報に基づく有効期限切れ判定か、又はガス漏れ警報器１の累積通電時間に基づく有効期限切れ判定のいずれかの判定によって有効期限切れが検知されるので、有効期限管理の信頼性が向上する。
【００４４】
また、ガスメータ２のリアルタイムクロック機能により正確に管理されている時刻情報を利用できるので、正確に有効期限切れを管理することができる。
【００４５】
また、ガス漏れ警報器１そのものにリアルタイムクロック機能を備える必要はないので、ガス漏れ警報器のコストアップを抑制することができる。
【００４６】
また、ガス漏れ警報器１の有効期限切れについての警報を確実に発することができる。
【００４７】
また、屋内に設置されるため管理し辛かったガス漏れ警報器１の有効期限切れを、センター側で明確に知ることができる。
【００４８】
さらに、ガス漏れ警報器１とガスメータ２間のデータ送受信を無線で行う構成によって、ガス漏れ警報器１とガスメータ２が接続線により接続されていなくても、また、当初はガス漏れ警報器１とガスメータ２が接続されていて、その後邪魔であるという理由で接続線が外されてしまった場合でも、信頼性の高い有効期限管理を行うことができる。
【符号の説明】
【００４９】
１…ガス漏れ警報器
２…ガスメータ
１１，２１…マイコン
１１ａ，２１ａ…ＣＰＵ
１１ｂ，２１ｂ…ＲＯＭ
１１ｃ，２１ｃ…ＲＡＭ
１２…ガスセンサ
１３…警報部
１４…故障表示部
１５…有効期限表示部
１６…ＥＥＰＲＯＭ
１７，２６…インターフェース部
３０…時刻情報取得・判定部
３１…時刻情報管理部
４０…累積通電時間計測・判定部
【図１】
2014225062.tif 000003
【図２】
2014225062.tif 000004
【図３】
2014225062.tif 000005